(57)【特許請求の範囲】
【請求項１】
設置面に埋設状態で設置可能に構成されたケーシングを備えると共に、当該ケーシングの前記設置面よりも前方側に電源スイッチの操作部である電源操作部が設けられた情報通信ユニットであって、
前記ケーシングの少なくとも一部が、前記設置面よりも前方に膨出する膨出部を有すると共に、当該膨出部における前面部の外縁部から後方に延出する膨出周面部に前記電源操作部が配置されている情報通信ユニット。
【請求項２】
前記ケーシングの底面部に、前記膨出周面部としての膨出底面部を有すると共に、前記電源操作部が、当該膨出底面部に配置されている請求項１に記載の情報通信ユニット。
【請求項３】
前記膨出底面部に、前記ケーシングの幅方向全体に亘って延びる溝部を有すると共に、前記電源操作部が、前記ケーシングの幅方向に沿って操作されるスライド式に構成され、且つ当該溝部に配置されている請求項２に記載の情報通信ユニット。
【請求項４】
前記膨出周面部における前記電源操作部の前方側に、突出部が形成されている請求項１〜３の何れか１項に記載の情報通信ユニット。
【請求項５】
請求項１〜４の何れか１項に記載の情報通信ユニットを設置した情報コンセントであって、
前記情報通信ユニットと当該情報通信ユニットとは異なる機器ユニットとが互いに隣接して設置面に埋設状態で設置され、
前記情報通信ユニットにおいて、前記電源操作部が、前記機器ユニットとの隣接側以外の前記膨出周面部に配置されている情報コンセント。
【発明の詳細な説明】
【技術分野】
【０００１】
本発明は、設置面に埋設状態で設置可能に構成されたケーシングを備えると共に、当該ケーシングの前記設置面よりも前方側に電源スイッチの操作部である電源操作部が設けられた情報通信ユニット及びそれを設置した情報コンセントに関する。
【背景技術】
【０００２】
ノートパソコン、スマートフォン、タブレット端末のような情報通信端末を用いてＬＡＮ通信を行うために、無線ＬＡＮ用のアンテナや有線ＬＡＮ用のモジュラージャックを備えた情報通信ユニットが室内に設置される。かかる従来の情報通信ユニットとしては、装置の意匠性や設置箇所の美観などを損なわないように、そのケーシングをコンセント部などの設置面に埋設状態で設置可能なものが知られている（例えば特許文献１を参照。）。
【０００３】
かかる情報通信ユニットは、商用電力を供給する電源ケーブルが接続された状態でコンセント部に設置されるが、その設置工事の際又はその後において電源の入切を行いたい場合がある。そのため、電源ケーブルが接続された状態でも電源の入切を行うための電源スイッチを付加することが望まれている。
【０００４】
通常、壁面などの設置面に設置される電気機器に電源スイッチを付加する場合には、その電源スイッチの操作部である電源操作部をケーシングの前面部に配置することが一般的である（例えば特許文献２を参照。）。特に、ケーシングをコンセント部に埋設状態で設置可能な情報通信ユニットでは、ケーシングの前面部以外の殆どが室内に露出せずに埋設された状態となるため、室内側の利用者による操作が容易な前面部に電源操作部を配置することが考えられる。
【先行技術文献】
【特許文献】
【０００５】
【特許文献１】特開２０１３−１５７７３８号公報
【特許文献２】特開２００１−１８６１６１号公報
【発明の概要】
【発明が解決しようとする課題】
【０００６】
設置面に埋設状態で設置される情報通信ユニットにおいて、身体の一部やその他の物との無意識な接触の可能性が高いケーシングの前面部に電源操作部を設けると、その無意識な接触により電源操作部が誤操作される可能性がある。特に、情報通信ユニットに加えて、電源コンセント接続用のユニットやスイッチ類など他の機器ユニットが互いに隣接して設置面に埋設状態で設置された情報コンセントでは、他の機器ユニットへの通常操作により、隣接する情報通信ユニットの電源操作部への誤操作が誘発されてしまう可能性がある。
【０００７】
この実情に鑑み、本発明の主たる課題は、設置面に埋設状態で設置可能に構成されたケーシングを備えると共に、当該ケーシングの前記設置面よりも前方側に電源スイッチの操作部である電源操作部が設けられた情報通信ユニット及びそれを設置した情報コンセントにおいて、合理的な構成を採用しつつ電源操作部の誤操作を抑制することができる技術を提供する点にある。
【課題を解決するための手段】
【０００８】
本発明に係る情報通信ユニットの第１特徴構成は、設置面に埋設状態で設置可能に構成されたケーシングを備えると共に、当該ケーシングの前記設置面よりも前方側に電源スイッチの操作部である電源操作部が設けられた情報通信ユニットであって、
前記ケーシングの少なくとも一部が、前記設置面よりも前方に膨出する膨出部を有すると共に、当該膨出部における前面部の外縁部から後方に延出する膨出周面部に前記電源操作部が配置されている点にある。
【０００９】
本特徴構成を有する情報通信ユニットによれば、電源スイッチの電源操作部が、身体の一部やその他の物との無意識な接触の可能性が高い膨出部の前面部ではなく、その可能性が低い膨出部の周面部である膨出周面部に配置されているので、上記無意識な接触等による電源操作部の誤操作を抑制することができる。また、膨出部の前面部には電源操作部が配置されないので、その前面部において、例えばモジュラージャック用の接続口や表示ランプ等の配置の自由度や美観を向上可能な合理的な構成を採用することができる。
【００１０】
本発明に係る情報通信ユニットの第２特徴構成は、前記ケーシングの底面部に、前記膨出周面部としての膨出底面部を有すると共に、前記電源操作部が、当該膨出底面部に配置されている点にある。
【００１１】
一般的に、設置面に埋設状態で設置可能な情報通信ユニットは、壁面に設けられるコンセント部などのように、壁面における床に近い位置に配置されることが多く、そのように設置面の床近傍に情報通信ユニットのケーシングを埋設状態で設置した場合には、そのケーシングは前方上方から斜め下向きに視認されることになる。そこで、本特徴構成を有する情報通信ユニットによれば、前方上方から斜め下向きの視野において略死角となるケーシングの膨出底面部に電源操作部が配置されているので、同視野からの美観を向上できる上に、電源操作部の視認性を適度に低下させて、いたずらに電源操作部が誤操作されることを抑制することができる。
【００１２】
本発明に係る情報通信ユニットの第３特徴構成は、前記膨出底面部に、前記ケーシングの幅方向全体に亘って延びる溝部を有すると共に、前記電源操作部が、前記ケーシングの幅方向に沿って操作されるスライド式に構成され、且つ当該溝部に配置されている点にある。
【００１３】
本特徴構成を有する情報通信ユニットによれば、スライド式の電源操作部に指を押し当ててスライド操作する際に、その電源操作部に押し当てた指の動作方向がその動作方向に沿って形成される上記溝部の縁により好適に案内されるので、電源操作部に対するスライド操作を適切に補助することができる。更に、電源操作部を膨出底面部に配置する場合において、その膨出底面部に形成された溝部が、ケーシングの幅方向全体に亘って形成されているので、その溝部の両端がケーシングの側方からも視認可能な状態で側面部に表れることになる。よって、側方から溝の端部を視認させることにより、電源操作部がその溝部が形成された膨出底面部に配置されていることを推認させることができ、更に、その溝の端部に沿わせた指を溝の縁により電源操作部側へ案内することができる。
【００１４】
本発明に係る情報通信ユニットの第４特徴構成は、前記膨出周面部における前記電源操作部の前方側に、突出部が形成されている点にある。
【００１５】
本特徴構成を有する情報通信ユニットによれば、ケーシングの前方側から電源操作部が配置された膨出周面部に沿って身体の一部やその他の物が侵入してきた場合でも、電源操作部の前方側に形成された上記突出部により、その侵入物などの電源操作部側への接触が抑制されるので、当該接触による電源操作部の誤操作や損傷を好適に防止することができる上に、前方側から電源操作部を目立たなくすることができる。
【００１６】
本発明に係る情報コンセントは、上記第１乃至第４特徴構成の何れかを有する情報通信ユニットを設置した情報コンセントであって、
その特徴構成は、前記情報通信ユニットと当該情報通信ユニットとは異なる機器ユニットとが互いに隣接して設置面に埋設状態で設置され、
前記情報通信ユニットにおいて、前記電源操作部が、前記機器ユニットとの隣接側以外の前記膨出周面部に配置されている点にある。
【００１７】
本特徴構成を有する情報コンセントによれば、情報通信ユニットとは異なる機器ユニット（以下「他の機器ユニット」と呼ぶ。）に隣接して設置面に埋設状態で設置された情報通信ユニットにおいて、ケーシングの少なくとも一部が、設置面よりも前方に膨出する膨出部を有すると共に、電源操作部が当該膨出部の周面部である膨出周面部のうちの他の機器ユニットとの隣接側以外の膨出周面部に配置されているので、他の機器ユニットに対する通常操作を行った場合でも、これまで説明してきた本発明に係る情報通信ユニットの特徴構成と同様に、電源操作部の誤操作を抑制することができる。
【図面の簡単な説明】
【００１８】
【図１】情報通信ユニットが設置されたコンセント部の正面図
【図２】情報通信ユニットの前面側斜視図
【図３】情報通信ユニットが設置されたコンセント部の側断面図
【図４】情報通信ユニットの背面側斜視図
【発明を実施するための形態】
【００１９】
本発明に係る情報通信ユニットの実施形態について図面に基づいて説明する。
図１及び図３に示すように、コンセント１は、壁Ｗに貫通形成された矩形状（長方形状）の開口Ｗａの背面側に設置したコンセントボックス２と、壁Ｗの前面側に配置されたコンセント１の外表面を覆うコンセントカバー３とを、それらの間において壁Ｗの前面に当接する金属製の取付枠５を介して固定することにより構成されている。
【００２０】
このコンセント１には、図１に示すように、本発明の情報通信ユニットＵ１を含めて４つのユニットが装備されている。
つまり、コンセント１の左右方向の中央位置には、有線ＬＡＮ用のモジュラージャックが挿入される有線ＬＡＮ用モジュラーアダプタ用の接続口１５、及び、電話回線用のモジュラージャックが挿入される電話回線用モジュラーアダプタ用の接続口１４を前面側（即ち室内側）に備えた本発明の情報通信ユニットＵ１が設けられている。
【００２１】
また、コンセント１の左右方向の一側部（図１の左側部）には、上下に２つの電源コンセント差込口を備えた電源コンセント接続用ユニットＵ２が設けられ、コンセント１の左右方向の他側部（図１の右側部）には、テレビアンテナ用の同軸ケーブルを接続する同軸ケーブル接続用ユニットＵ３の二組が設けられている。尚、この二つの同軸ケーブル接続用ユニットＵ３は、共に地上波放送及び衛星放送の混合波が出力されるものであってもよく、また、一方が地上波放送、他方が衛星放送などに分岐された短波が出力されるものであってもよい。
【００２２】
コンセントボックス２には、図示は省略するが、壁Ｗの背面側空間に配線された電源ケーブル、通信線の一例である電話ケーブル、同軸ケーブル、ＷＡＮ側の通信ケーブルの端部が挿入される挿入口が形成されている。そして、この挿入口を通してコンセントボックス２内に導入された各ケーブルのうち、電源ケーブルは電源コンセント接続用ユニットＵ２に接続され、電話ケーブル及びＷＡＮ側の通信ケーブルは情報通信ユニットＵ１に接続され、更に、同軸ケーブルは同軸ケーブル接続用ユニットＵ３に接続されている。
【００２３】
コンセントカバー３には、各ユニットＵ１〜Ｕ３に対応した形状の取付け窓４が形成され、各取付け窓４を通して各ユニットＵ１〜Ｕ３の前面部分が外部である室内に露出する形態で取付けられている。よって、このコンセントカバー３の前面が、各ユニットＵ１〜Ｕ３が埋設状態で設置される設置面Ｆに相当する。
【００２４】
コンセント１は、情報通信ユニットＵ１に加えて、その情報通信ユニットＵ１とは異なる機器ユニットとして、電源コンセント接続用ユニットＵ２や同軸ケーブル接続用ユニットＵ３を互いに隣接して設置面Ｆに埋設状態で設置された情報コンセントとして構成されている。尚、このような情報通信ユニットＵ１以外の他の機器ユニットとしては、スイッチユニットなどの別のユニットを設置しても構わず、また、このような他の機器ユニットを配置することなく、情報通信ユニットＵ１のみを単独で設置しても構わない。
【００２５】
以下、情報通信ユニットＵ１の構成について、図２〜図３を参照して説明する。
情報通信ユニットＵ１は、コンセントカバー３の前面に相当する設置面Ｆに埋設状態で設置可能に構成されたケーシング１０を備えると共に、当該ケーシング１０の設置面Ｆよりも前方側に電源スイッチ４０の操作部である電源操作部４０ａが設けられている。そして、かかる情報通信ユニットＵ１では、室内側の利用者が視認又は接触が可能な設置面Ｆよりも前方側に電源操作部４０ａが配置されているので、情報通信ユニットＵ１を設置面Ｆに設置する設置工事の際又はその後においても電源の入切を行うことができるようになる。
【００２６】
ケーシング１０は、設置面Ｆに対して直交する前後方向（壁Ｗの表裏方向）から互いに脱着自在に嵌合する前側分割ケーシング１０Ａと後側分割ケーシング１０Ｂとで二分割された合成樹脂製のケーシングである。尚、ケーシング１０の内部には、詳細な説明は割愛するが、各種アダプタやコネクタ以外に、無線ＬＡＮ用アンテナ、コンバータ、各種回路基板などが実装されている。
【００２７】
前側分割ケーシング１０Ａは、図２及び図３に示すように、コンセントカバー３の取付け窓４を通して設置面Ｆよりも前方側に膨出する膨出部Ａが設けられている。この膨出部Ａは、前方に面する前面部１１と、その前面部１１の外縁部から後方に延出する膨出周面部１２とからなる。更に、膨出周面部１２の後方側には、側方に延出して設置面Ｆの背面側（具体的にはコンセントカバー３の背面側に設けられた取付枠５に固定されるフランジ部１３が形成されている。
【００２８】
図２に示すように、前面部１１は、コンセントカバー３の表面に沿って上下方向に延びる略長方形の帯状に形成されており、詳しくは、前方への突出代が最も少ない偏平な上側前面部１１ａと、これの下端から前方下方に向かって延びる傾斜姿勢の中間傾斜前面部１１ｂと、これの下端から下方に延びる最も突出代の大きな偏平な下側前面部１１ｃとからなる。
【００２９】
この前面部１１の上側前面部１１ａには、電話回線用モジュラープラグが脱着自在に接続される電話回線用モジュラーアダプタの接続口１４が設けられている。更に、この上側前面部１１ａには、情報通信ユニットＵ１の電源の投入状態を示す電源インジケータや、ルーティング機能（有線ＬＡＮや無線ＬＡＮを利用した情報通信機能）の利用可能状態を示すＬＡＮインジケータやネットワークのアクセス状態を示すアクセスインジケータなどの表示ランプ部１６と、ケーシング１０内のリセットスイッチを爪楊枝等の細い棒状の操作具でリセット操作するためのリセットボタン部１７などが設けられている。一方、前面部１１の下側前面部１１ｃには、ＬＡＮ用モジュラーアダプタが脱着自在に接続されるＬＡＮ用モジュラーアダプタの接続口１５が設けられている。
【００３０】
このようなコンセント１では、図１に示すように、電源コンセント接続用ユニットＵ２や同軸ケーブル接続用ユニットＵ３への接続操作などにより、隣接する情報通信ユニットＵ１の電源操作部４０ａが誤操作されてしまうことが懸念される。
そこで、本実施形態の情報通信ユニットＵ１では、合理的な構成を採用しつつ電源操作部４０ａの誤操作を抑制するために、電源操作部４０ａが、当該膨出部Ａの周面部である膨出周面部１２に配置されている。
【００３１】
即ち、電源操作部４０ａが、身体の一部やその他の物との無意識な接触の可能性が高い前面部１１ではなく、その可能性が低い膨出周面部１２に配置されている。このことで、上記無意識な接触等による電源操作部４０ａの誤操作が抑制されている。
【００３２】
また、前面部１１においては、電源操作部４０ａが配置されていないので、各種接続口１４，１５、表示ランプ部１６、及びリセットボタン部１７などが比較的自由に且つ広範囲に配置されており、このことで前方からの美観が向上されている。
【００３３】
膨出周面部１２は、図２，図３及び図４に示すように、前側分割ケーシング１０Ａの天面部に対応する膨出天面部１２ｔと、前側分割ケーシング１０Ａの底面部に対応する膨出底面部１２ｂと、前側分割ケーシング１０Ａの両側面部に対応する両膨出側面部１２ｓとからなる４方向の周面部からなる。そして、電源操作部４０ａは、隣接する他の機器ユニットＵ２，Ｕ３との隣接側以外の膨出周面部１２であって、その前側分割ケーシング１０Ａの底面部に対応する膨出底面部１２ｂに配置されている。
【００３４】
即ち、コンセント１（図１参照）は、床に近い位置（例えば床から２５ｃｍ程度上方）に配置されており。そのような床近傍のコンセント１に埋設状態で設置された情報通信ユニットＵ１のケーシング１０は、前方上方から斜め下向きに視認されることになる。そして、前方上方から斜め下向きの視野において略死角となる膨出底面部１２ｂに電源操作部４０ａが配置されているので、同視野からの美観が一層向上する上に、電源操作部４０ａの視認性及び操作性が適度に低下して、いたずらに電源操作部４０ａが誤操作されることが抑制される。
【００３５】
この膨出底面部１２ｂには、図２に示すように、ケーシング１０の幅方向Ｘ（図１における左右方向）全体に亘って延びる溝部３０が形成されている。更に、電源操作部４０ａは、ケーシング１０の幅方向Ｘに沿って操作されるスライド式に構成され、且つ上記溝部３０の略中央に配置されている。
【００３６】
スライド式の電源操作部４０ａが溝部３０に設けられていることで、電源操作部４０ａに指を押し当ててスライド操作する際には、電源操作部４０ａに押し当てた指の動作方向（幅方向Ｘ）が、その動作方向に沿って形成される上記溝部３０の縁により案内されることになって、電源操作部４０ａに対するスライド操作が好適に補助されることになる。尚、このスライド式の電源操作部４０ａの表面には波形状等の凹凸が形成されており、これにより、押し当てた指によるスライド操作時の滑り止めが施されている。
【００３７】
更に、膨出底面部１２ｂに形成された溝部３０が、ケーシング１０の幅方向Ｘ全体に亘って形成されているので、図３に示すように、その溝部３０の両端がケーシング１０の側方からも視認可能な状態で膨出側面部１２ｓに表れることとなる。よって、利用者は、側方からその溝部３０の端部を視認することによって、膨出底面部１２ｂに溝部３０が形成されていることを容易に認識することができ、更には、その溝部３０に電源操作部４０ａが配置されていることを容易に推認することができる。また、利用者は、膨出側面部１２ｓに表れた溝３０の端部に添わせた指を溝３０の縁部に沿って移動させる形態で、電源操作部４０ａに指を案内することができる。
【００３８】
膨出底面部１２ｂに形成された溝部３０の前面側縁部が、電源操作部４０ａと略同じ高さ又はそれよりも高く突出する突出部３１として形成されている。更に、この突出部３１は、溝部３０の前方側の縁部として、ケーシング１０の幅方向Ｘ全体に亘って形成されている。
【００３９】
即ち、この突出部３１が膨出底面部１２ｂにおいて電源操作部４０ａの前方側に配置されていることにより、前方側から膨出底面部１２ｂに沿って身体の一部やその他の物が侵入してきた場合でも、その侵入物などが電源操作部４０ａの前方側に形成された上記突出部３１に当接することで、電源操作部４０ａ側への侵入物などの接触が抑制される。このことで、侵入物などの接触による電源操作部４０ａの誤操作や損傷が防止される。
【００４０】
更に、この突出部３１は、溝部３０の前方側の縁部としてケーシング１０の幅方向Ｘ全体に亘って形成されているので、前面側からの美観が確保されると共に、突出部３１自体の強度も向上する。
【００４１】
後側分割ケーシング１０Ｂの背面には、図４に示すように、ＷＡＮ側の通信ケーブルのモジュラージャック２１が脱着自在に接続されるＷＡＮ用モジュラーアダプタ２０が、その接続口を斜め上方に向けて露出開口させた姿勢で装備され、また、６極２芯の電話ケーブル２３の二本の芯線が脱着自在に差し込み接続される通信回線接続用コネクタ２２が、それらの接続口を後側分割ケーシング１０Ｂの背面に形成された段部において上方に向けて露出開口させた姿勢で装備されている。
【００４２】
更に、後側分割ケーシング１０Ｂの背面の側縁部には、背面と側面とに開放された一対の凹部２４が形成されている。そして、これら一対の凹部２４には、商用電力を供給する一対の電源ケーブル２６が着脱自在に差し込み接続される電源ケーブル接続用コネクタ２５が、それらの接続口を後方に向けて露出開口させた姿勢で装備されている。
【００４３】
このように電源ケーブル接続用コネクタ２５が、背面と側面とに開放された凹部２４に装備されていることで、比較的硬質な電源ケーブル２６を電源ケーブル接続用コネクタ２５に接続した場合でも、その電源ケーブル２６を凹部２４内で無理なく湾曲させてケーシング１０の側方に引き出すことができ、隣接する電源コンセント接続用ユニットＵ２などに好適に接続することができる。このことで、情報通信ユニットＵ１をコンセント１に設置した状態において、この電源ケーブル接続用コネクタ２５に接続した電源ケーブル２６が、コンセントボックス２の背面側壁（図３参照）などに干渉することが防止される。尚、一対の凹部２４の夫々は、比較的肉厚な区画壁を介して夫々独立して設けられている。これにより、夫々の凹部２４の内壁が比較的頑丈に形成されることになるので、その凹部２４の内部において比較的硬質な電源ケーブル２６が湾曲する際に凹部２４の内壁に比較的強力に押し当てられた場合でも、その内壁の損傷が防止される。
【００４４】
更に、電源ケーブル接続用コネクタ２５の接続口が後方に向けて露出開口されているので、コンセント１への設置工事の際に、電源ケーブル接続用コネクタ２５に電源ケーブル２６を接続した状態でケーシング１０を壁Ｗに形成された開口Ｗａ（図３参照）に挿入する場合であっても、その電源ケーブル２６の当該開口Ｗａへの干渉が防止されている。
【００４５】
〔別実施形態〕
（１）上記実施形態では、情報通信ユニットＵ１を、有線ＬＡＮ用モジュラーアダプタ用及び電話回線用モジュラーアダプタ用の接続口１４，１５を備えたタイプとして構成したが、別に、これら接続口１４，１５を備えずに、無線ＬＡＮ用アンテナによる無線ＬＡＮ通信のみを行うタイプとして構成しても構わない。
【００４６】
（２）上記実施形態では、ケーシング１０の底面部に対応する膨出底面部１２ｂに電源スイッチ１０の電源操作部４０ａを配置した例を説明したが、電源操作部４０ａを、膨出天面部１２ｔや膨出側面部１２ｓなどの膨出底面部１２ｂ以外の膨出周面部１２に配置しても構わない。また、本実施形態では、ケーシング１０（前側分割ケーシング１０Ａ）の前方側全体を設置面Ｆよりも前方側に膨出させるように構成したが、ケーシング１０の前方側の一部を設置面Ｆよりも前方側に膨出させるようにしても構わない。
【００４７】
（３）上記実施形態では、電源スイッチ４０の電源操作部４０ａをスライド式に構成したが、別に、押しボタン式などの別形式に構成しても構わない。また、上記実施形態では、かかる電源操作部４０ａをケーシング１０の幅方向Ｘ全体に亘って延びる溝部３０に配置した例を説明したが、例えば電源操作部４０ａを押しボタン式などの別形式に構成する場合において、溝部３０を改変又は省略しても構わない。
【００４８】
（４）上記実施形態では、電源操作部４０ａが配置される膨出底面部１２ｂの溝部３０の前面側縁部を突出部３１として構成したが、かかる突出部３１の高さや幅を変更したり、省略しても構わない。
【符号の説明】
【００４９】
１        コンセント（情報コンセント）
１０      ケーシング
１２      膨出周面部
１２ｂ    膨出底面部
３０      溝部
３１      突出部
４０      電源スイッチ
４０ａ    電源操作部
Ａ        膨出部
Ｆ        設置面
Ｕ１      情報通信ユニット
Ｕ２      電源コンセント接続用ユニット（機器ユニット）
Ｕ３      同軸ケーブル接続用ユニット（機器ユニット）
【要約】
【課題】設置面に埋設状態で設置可能に構成されたケーシングを備えると共に、当該ケーシングの設置面よりも前方側に電源スイッチの操作部である電源操作部が設けられた情報通信ユニットにおいて、合理的な構成を採用しつつ電源操作部の誤操作を抑制することができる技術を提供する。
【解決手段】ケーシング１０の少なくとも一部が、設置面Ｆよりも前方に膨出する膨出部Ａを有すると共に、電源操作部４０ａが当該膨出部Ａの周側面部である膨出周側面部１２に配置されている。
【選択図】図２【図１】
0005840314.tif 000002
【図２】
0005840314.tif 000003
【図３】
0005840314.tif 000004
【図４】
0005840314.tif 000005